(57)【要約】【課題】従来の減圧弁は配管洗浄圧を掛けると弁体が閉止して洗浄できなくなるため、洗浄圧を掛ける際は、減圧弁を代用管と付替えてきたが、その作業は極めて面倒な作業となるため、構造的に弁体に作用する水圧経路を変更したりしている。しかし、減圧弁の構造を必要以上に複雑化したり、水圧経路の閉塞に圧接力が働かない等の問題があった。【解決手段】減圧弁の構造仕様を大幅に変更することなく、１次側圧力室と２次側圧力室との連通路と隔絶して設けたダイヤフラム加圧室２１への通路１７の一側に、２次側通水路からダイヤフラム加圧室への通路に連通弁孔５１を設定し、先端に密栓構造を備え後退方向に付勢された弁杆５を設定し、押し込み治具６の着合により弁杆による連通弁孔の開閉を行えるように構成した。【選択図】図３
2004124972.tif 000002
【特許請求の範囲】
【請求項１】
１次側圧力室と２次側圧力室との連通路と隔絶して設けたダイヤフラム加圧室への通路の一側に、先端に密栓構造を備え後退方向に付勢された弁杆の前進によって閉鎖される２次側通水路への連通弁孔を設け、押し込み治具によって同連通弁孔の開閉操作を可能に構成したことを特徴とする戸別給水用減圧弁
【発明の詳細な説明】
【０００１】
【産業上の利用分野】
本発明は、集合住宅などポンプ加圧による給水を行っている場所における給水圧の調整を行うための戸別給水用減圧弁に関するものである。
【０００２】
すなわち、集合住宅などポンプ加圧による給水を行っている場所においては、ポンプ加圧だけによった場合、重力の関係で上階へ行くほど給水圧が低下し、下階ほど給水圧が高くなるため、水栓類の保護と給水量の調整を図るため戸別給水用減圧弁が用いられてきている。
【０００３】
また、給水配管の接続が末端の水栓まで終了すると、漏れの有無を確認する耐圧検査が行なわれるが、施工したばかりの配管では管の切粉や砂などの異物が多く含まれるため配管全体の洗浄を行なった後に耐圧検査が行なわれる。
【０００４】
本発明は、このような給水配管の接続が末端の水栓まで終了した段階における配管洗浄と洗浄を行なった後の耐圧検査を円滑に行えるようにした戸別給水用減圧弁に関するものである。
【０００５】
【従来の技術】
従来、上記のような配管洗浄と耐圧検査は、減圧弁の構造が２次側の圧力を内装するダイヤフラムが受けて弁体を開閉させて給水圧の調整を行なう構造となつており、配管洗浄圧を掛けると弁体が閉止して洗浄できなくなるため、減圧弁を取付ける場所に減圧弁の代わりに代用管を取付けて配管洗浄を行なった後に、代用管を減圧弁に付け替えてから耐圧検査を行なう方法が取られてきた。
【０００６】
しかしながら、代用管と減圧弁の付け替え作業は極めて面倒な作業であり、多くの時間と労力を要するため、特許文献１に示されるように弁箱に対し減圧機構ユニットを回転自在とし、２つの圧力検出孔を回転位置で合致させることにより１次側圧力室と２次側圧力室とを連通させる圧力検出孔を設け、減圧機構ユニットの回転により連通路を開閉して弁体の閉止を避けるようにし（特許文献１の請求項１）、或いは弁箱の上部に設定される減圧機構ユニットを係脱自在に行えるようにし、減圧機構ユニットを外してユニット装填口と圧力検出孔を閉塞蓋で密栓する（特許文献１の請求項３）等の方法が行なわれてきている。
【０００７】
【特許文献１】特開２００１−１２４２３５号公報
【０００８】
【発明が解決しようとする課題】
しかしながら、減圧機構ユニットを回転自在としたり、係脱自在に行えるようにしたりすることは、減圧弁の構造を必要以上に複雑化することになりコスト面に影響があるほか、代用管と減圧弁の付け替え作業程でないにしても２つの圧力検出孔を回転位置で合致させたり、ずらせたりする作業も、減圧機構ユニットの取外し作業も可なりの手間を要し、しかも、連通路の閉塞に圧接力が働かないための不安が残っている。
【０００９】
【課題を解決するための手段】
本発明は、従来の減圧弁の構造仕様を大幅に変更することなく、１次側圧力室と２次側圧力室との連通路と隔絶して設けたダイヤフラム加圧室への通路の一側に、２次側通水路からダイヤフラム加圧室への通路に連通弁孔を設定し、先端に密栓構造を備え後退方向に付勢された弁杆を設定し、押し込み治具の着合により弁杆による連通弁孔の開閉を行えるようにすると共に、押し込み治具着合孔を減圧弁自体の耐圧検査のために圧力計取付け部としてそのまま利用できるようにした。
【００１０】
すなわち、圧力計取付け部に押し込み治具をねじ込むことによって、そこに設けられた弁杆が後退方向への付勢に抗して前進し、弁杆先端の密栓構造が２次側通水路への連通弁孔に圧接して連通弁孔を閉鎖し、押し込み治具を取り外せば付勢によって弁杆は後退し連通弁孔が開放するように構成したものである。
【００１１】
連通弁孔が閉鎖されれば、１次側圧力室から２次側圧力室に配管洗浄圧が掛けられてもダイヤフラム加圧室への通路に加圧はないから弁体が閉止作動することはなく、洗浄圧によって流動する異物の弁体部での噛み込み等の問題は発生しない。また、耐圧検査の際には圧力が高まっても弁体が閉止しないから減圧弁の１次側にも圧力を掛けることが可能になった。
【００１２】
【実施例】
以下、本発明の実施例を図面を参照して説明する。１は弁箱で、弁体２を挟んで両側に流入口１１と通じる１次側圧力室１３、吐出口１２と通じる２次側圧力室１４が構成され、上部に減圧機構ユニット３が着合されている。
【００１３】
水流は、止水栓１５の開栓によって１次側から１次側圧力室１３のストレーナー１６、弁体２、２次側圧力室１４を通って吐出口１２から排出されるが、２次側圧力室１４の側部には１次側圧力室と２次側圧力室との連通路と隔絶して設けたダイヤフラム加圧室２１への通路１７が設定され、これを通じて２次側圧力室と同一の水圧が加圧室２１に掛けられている。
【００１４】
ダイヤフラム加圧室２１の上面にはダイヤフラム４が張設されており、このダイヤフラム４は減圧機構ユニット３に張設されたスプリング３１とダイヤフラム押さえ３２によって弁体２と共に下方に付勢されている。
【００１５】
２次側圧力室１４の水圧が末端の水栓が閉まることによって高くなると通路１７を通じて加圧室２１の水圧も高くなり、ダイヤフラム４をスプリング３１に抗して押し上げて付設された弁体２を上昇させるので、弁翼２２が弁座２３に接合して減圧弁が閉止されることになる。
【００１６】
また、末端の水栓が開くことによって２次側圧力室１４の水圧が低下すると、加圧室２１の水圧も低下してダイヤフラム４はスプリング３１の付勢力によって下降し、減圧弁は開弁されて水圧の調整が行なわれるものである。
【００１７】
減圧弁がこのように構成されているので、前記した配管洗浄や耐圧検査のために１次側から２次側に水圧を掛けると２次側圧力室１４、加圧室２１の水圧が高くなり減圧弁が閉止されてしまう。本発明による減圧弁は、加圧室２１への通路１７を１次側圧力室と２次側圧力室との連通路と隔絶して設けるようにし、その一側に２次側通水路への連通弁孔５１を設けると共に、弁孔５１を開閉する弁杆５を設定したものである。
【００１８】
弁杆５はスプリング５２によって後退方向に付勢されており、先端にはＯリング５３が装着されて前進時に連通弁孔５１を密栓する構造となっている。減圧弁の閉止作動を避けて１次側から２次側に水圧を掛けようとするときは、押し込み治具６を着合孔５４に螺合して弁杆５を前進させれば、Ｏリング５３が連通弁孔５１を完全に密栓閉鎖するものである。
【００１９】
弁杆５の後尾にはＯリング５５が装着されて弁杆５の後退時における水漏れを防止している。また、着合孔５４は前記のように圧力計を取付けることにより減圧弁の耐圧検査を行なう場合に利用することができる。
【００２０】
本発明は以上のように構成したので、押し込み治具６を着合孔５４に螺合するだけで、代用管を用いることなく、配管洗浄や耐圧検査を行なうことができ、更に、連通弁孔５１の閉鎖も押し込み治具６の螺合推進により積極的な圧接閉鎖により確実なものとすることができた。
【００２１】
【図面の簡単な説明】
【図１】本発明の実施例を示すもので、戸別給水用減圧弁の縦断側面図
【図２】同じく、弁杆が後退し連通弁孔が開放された状態における戸別給水用減圧弁の縦断正面図
【図３】同じく、弁杆が前進し連通弁孔が閉止された状態における戸別給水用減圧弁の縦断正面図
【符号の説明】
１　　弁箱
１１　　給水流入口
１２　　給水吐出口
１３　　１次側圧力室
１４　　２次側圧力室
１５　　止水栓
１６　　ストレーナー
１７　　ダイヤフラム加圧室への通路
２　　減圧弁体
２１　　ダイヤフラム加圧室
２２　　減圧弁体の弁翼
２３　　減圧弁体の弁座
３　　減圧機構ユニット
３１　　ダイヤフラム付勢スプリング
３２　　ダイヤフラム押さえ
４　　ダイヤフラム
５　　連通弁孔開閉弁杆
５１　　２次側通水路への連通弁孔
５２　　弁杆付勢スプリング
５３　　弁杆先端Ｏリング
５４　　押し込み治具着合孔
５５　　弁杆後尾Ｏリング
６　　押し込み治具
【図１】
2004124972.tif 000003
【図２】
2004124972.tif 000004
【図３】
2004124972.tif 000005